(57)【要約】      （修正有）【課題】シュレッダーの電源自動切断装置を提供する。【解決手段】シュレッダーの電源自動切断装置は組み立てベース、電源切断スイッチ、エネルギー貯蔵ユニット、変速ギアボックス、引き金、起動スイッチを含む。該エネルギー貯蔵ユニットはシュレッダーのカッターアセンブリにより連動され、該変速ギアボックスは該エネルギー貯蔵ユニットにより駆動され、該引き金は該変速ギアボックスに連動され、該電源切断スイッチに接触し動かし、該起動スイッチは該引き金を再設定する。該エネルギー貯蔵ユニットは該カッターアセンブリの運転時に同期にエネルギーを貯蔵し、該カッターアセンブリが運転を停止すると該変速ギアボックスの運転を駆動し、該変速ギアボックスが一定の程度まで運転すると、該引き金の動作を連動し、該引き金は電源切断スイッチに接触しシュレッダーは電源を切断される。及びレバー起動スイッチは該引き金を再設定し、電源を再度オンにし、シュレッダーは正常な運転を回復し、電源切断装置は電源自動切断機能を再び回復する。【選択図】図３
0003142769.tif 000002
【実用新案登録請求の範囲】
【請求項１】
組み立てベース、電源切断スイッチ、エネルギー貯蔵ユニット、変速ギアボックス、引き金、起動スイッチを含み、
該電源切断スイッチによりシュレッダーの電源通電と切断を制御し、
該エネルギー貯蔵ユニットはシュレッダーのカッターアセンブリにより連動され運転し、エネルギーを貯蔵し、
該変速ギアボックスは該エネルギー貯蔵ユニットが放出するエネルギーを受け、運転を連動され、
該引き金は該変速ギアボックスに連動され、該電源切断スイッチに接触し動かし、
該起動スイッチは該引き金を復位させ、
該エネルギー貯蔵ユニットは該カッターアセンブリが運転を停止すると、貯蔵エネルギーを放出し、該変速ギアボックスの運転を連動し、該変速ギアボックスが一定の程度まで運転すると、該引き金の動作を連動し、該引き金は電源切断スイッチに接触しシュレッダーは電源を切断され、
該シュレッダーの電源スイッチが再起動されると、起動スイッチに対応し該引き金は再設定され、シュレッダーは正常な運転を回復し、しかも電源切断装置は電源自動切断機能を再び回復することを特徴とするシュレッダーの電源自動切断装置。
【請求項２】
請求項１記載のシュレッダーの電源自動切断装置において、前記エネルギー貯蔵ユニットは該変速ギアボックスと連動するウォームばねにより構成することを特徴とするシュレッダーの電源自動切断装置。
【請求項３】
請求項１記載のシュレッダーの電源自動切断装置において、前記起動スイッチはダイヤルの形態で、該ダイヤルは回転盤と該変速ギアボックスの出力軸を連動し、該回転盤の周辺には欠口を設置し、該引き金は該欠口に相対し嵌入するフック部を設置することを特徴とするシュレッダーの電源自動切断装置。
【請求項４】
請求項１記載のシュレッダーの電源自動切断装置において、前記エネルギー貯蔵ユニットは単方向機構と該カッターアセンブリを通して伝動を構成されることを特徴とするシュレッダーの電源自動切断装置。
【請求項５】
請求項１記載のシュレッダーの電源自動切断装置において、前記単方向機構はさらに第一固定摩擦ホイール、第二固定摩擦ホイール、浮動摩擦ホイール、槽台、弾性部品を含み、
該第一固定摩擦ホイールは該エネルギー貯蔵ユニットに固設し、該エネルギー貯蔵ユニットと伝動を構成し、
該第二固定摩擦ホイールは該カッターアセンブリに固設し、該カッターアセンブリと伝動を構成し、
該浮動摩擦ホイールは該２個の固定摩擦ホイール間に設置し、
該槽台は該浮動摩擦ホイールと該２個の固定摩擦ホイールを相対移動させ、
該弾性部品は該浮動摩擦ホイールを該２個の固定摩擦ホイールに向けて押すことを特徴とするシュレッダーの電源自動切断装置。
【請求項６】
請求項５記載のシュレッダーの電源自動切断装置において、前記第二固定摩擦ホイールの軸心には第一伝動ギアを設置し、該第一伝動ギアは内ギアを備える第二伝動ギアと該カッターアセンブリシャフト位置に主動回転ギアにより伝動連結を構成され、
該槽台は該第二固定摩擦ホイールのホイール面の弧状に沿った弧状槽を設置し、該浮動摩擦ホイールの軸心は該槽台の弧状槽に穿入することを特徴とするシュレッダーの電源自動切断装置。
【請求項７】
請求項１記載のシュレッダーの電源自動切断装置において、前記起動スイッチはレバースイッチの形態で、該レバースイッチは棒状ギア、及び該回転盤と該変速ギアボックスの出力軸を連動する第三伝動ギアにより伝動を構成され、該回転盤の周辺には欠口を設置し、該引き金は該欠口に相対嵌入するフック部を設置することを特徴とするシュレッダーの電源自動切断装置。
【請求項８】
請求項７記載のシュレッダーの電源自動切断装置において、前記エネルギー貯蔵ユニットと該カッターアセンブリ間の伝動は、該エネルギー貯蔵ユニットに固設し、該エネルギー貯蔵ユニットと伝動を構成する第一固定摩擦ホイール、及び該カッターアセンブリに固設し、該カッターアセンブリと伝動を構成する第二固定摩擦ホイールにより構成され、
該第二固定摩擦ホイールの軸心には第一伝動ギアを設置し、該第一伝動ギアは第二伝動ギアと該カッターアセンブリシャフト位置の主動回転ギアにより伝動連結を構成されることを特徴とするシュレッダーの電源自動切断装置。
【考案の詳細な説明】
【技術分野】
【０００１】
本考案はシュレッダーのセーフティー電源切断装置に関する。特にシュレッダーのカッターアセンブリが一定時間の運転停止後に、シュレッダーの電源を自動的に切断し、省エネと安全の機能を達成するシュレッダーの電源自動切断装置に係る。
【背景技術】
【０００２】
機密性の高いファイルやデータが外に漏れ悪意を持つ者の手に渡ることを防止するため、通常はシュレッダーを用い該ファイルやデータ棄損する。よって今ではシュレッダーはビジネスと家庭生活になくてはならないものとなっている。
周知のようにシュレッダーの作動原理は以下の通りである。つまり、多数のカッティングブレード(cutting blades)にスペーサー(spacers)を組合せ、回転シャフト(rotary shafts)に穿設し、モーター(motor)と伝動ギアボックス(gear box)を利用し、該２本の平行かつ相対回転するシャフトを通過する紙に対して駆動し、その切断力により紙を細長い棒状にカットするものである。
一方、シュレッダーはその機械カッティング方式の違いにより、ストライプカットシュレッダー(stripe-cut shredders)とクロスカットシュレッダー(cross-cut shredders)の２種に分類される。
前者はカッティングに用いるブレードを回転シャフト上に排列し、紙を縦方向にテープ状にカットするものである。後者のブレード上には１個以上のカギ状刃を備え、しかもブレードは回転シャフト上において螺旋状に排列し、これにより紙は縦方向にテープ状にカットされるだけでなく、横方向にも裁断され粉砕状紙片となる。
【０００３】
上記のストライプカットシュレッダー、クロスカットシュレッダー共に基本的には、カッターアセンブリ及び関連ケースなどの構成部品により組成する。上記のように、一般のシュレッダーはカッターアセンブリの運転状態下で、シャフトを通過する紙はテープ状或いは粉砕紙片状にカットされるため、一般のシュレッダーの多くはケース上にスライドスイッチ(電源スイッチ)を設置する。これにより使用者はシュレッダーの正回転と逆回転、或いは電源切断を切り換えることができる。
しかし、該スライドスイッチを正回転に切り換えた状態で、紙を挿入せずカッターアセンブリが運転すると、シュレッダー内部の制御回路は常態通電状態にあるため、不要な電力を消費してしまう。さらにはスイッチに誤って触れれば、異常運転の危険性さえ存在する。
【考案の開示】
【考案が解決しようとする課題】
【０００４】
本考案の目的は、シュレッダーのカッターアセンブリが一定時間運転を停止すると、自動的にシュレッダーの電源を切断する電源切断装置を提供し、これにより省エネと安全の機能を達成することである。
【０００５】
シュレッダーの電源自動切断装置は組み立てベース、電源切断スイッチ、エネルギー貯蔵ユニット、変速ギアボックス、引き金、起動スイッチを含み、
該電源切断スイッチによりシュレッダーの電源通電と切断を制御し、
該エネルギー貯蔵ユニットはシュレッダーのカッターアセンブリにより連動され、
該変速ギアボックスは該エネルギー貯蔵ユニットにより駆動され、
該引き金は該変速ギアボックスに連動され、該電源切断スイッチに接触し動かし、
該起動スイッチは該引き金を再設定し、
該エネルギー貯蔵ユニットは該カッターアセンブリの運転時に同期にエネルギーを貯蔵し、該カッターアセンブリが運転を停止すると該変速ギアボックスの運転を駆動し、該変速ギアボックスが一定の程度まで運転すると、該引き金の動作を連動し、該引き金は電源切断スイッチに接触しシュレッダーは電源を切断され、こうして省エネと安全の機能を達成し、
及びレバー起動スイッチは該引き金を再設定し、電源を再度オンにし、シュレッダーは正常な運転を回復し、電源切断装置は電源自動切断機能を再び回復する。
【課題を解決するための手段】
【０００６】
請求項１の考案は、組み立てベース、電源切断スイッチ、エネルギー貯蔵ユニット、変速ギアボックス、引き金、起動スイッチを含み、
該電源切断スイッチによりシュレッダーの電源通電と切断を制御し、
該エネルギー貯蔵ユニットはシュレッダーのカッターアセンブリにより連動され運転し、エネルギーを貯蔵し、
該変速ギアボックスは該エネルギー貯蔵ユニットが放出するエネルギーを受け、運転を連動され、
該引き金は該変速ギアボックスに連動され、該電源切断スイッチに接触し動かし、
該起動スイッチは該引き金を復位させ、
該エネルギー貯蔵ユニットは該カッターアセンブリが運転を停止すると、貯蔵エネルギーを放出し、該変速ギアボックスの運転を連動し、該変速ギアボックスが一定の程度まで運転すると、該引き金の動作を連動し、該引き金は電源切断スイッチに接触しシュレッダーは電源を切断され、
該シュレッダーの電源スイッチが再起動されると、起動スイッチに対応し該引き金は再設定され、シュレッダーは正常な運転を回復し、しかも電源切断装置は電源自動切断機能を再び回復することを特徴とするシュレッダーの電源自動切断装置としている。
請求項２の考案は、請求項１記載のシュレッダーの電源自動切断装置において、前記エネルギー貯蔵ユニットは該変速ギアボックスと連動するウォームばねにより構成することを特徴とするシュレッダーの電源自動切断装置としている。
請求項３の考案は、請求項１記載のシュレッダーの電源自動切断装置において、前記起動スイッチはダイヤルの形態で、該ダイヤルは回転盤と該変速ギアボックスの出力軸を連動し、該回転盤の周辺には欠口を設置し、該引き金は該欠口に相対し嵌入するフック部を設置することを特徴とするシュレッダーの電源自動切断装置としている。
請求項４の考案は、請求項１記載のシュレッダーの電源自動切断装置において、前記エネルギー貯蔵ユニットは単方向機構と該カッターアセンブリを通して伝動を構成されることを特徴とするシュレッダーの電源自動切断装置としている。
請求項５の考案は、請求項１記載のシュレッダーの電源自動切断装置において、前記単方向機構はさらに第一固定摩擦ホイール、第二固定摩擦ホイール、浮動摩擦ホイール、槽台、弾性部品を含み、
該第一固定摩擦ホイールは該エネルギー貯蔵ユニットに固設し、該エネルギー貯蔵ユニットと伝動を構成し、
該第二固定摩擦ホイールは該カッターアセンブリに固設し、該カッターアセンブリと伝動を構成し、
該浮動摩擦ホイールは該２個の固定摩擦ホイール間に設置し、
該槽台は該浮動摩擦ホイールと該２個の固定摩擦ホイールを相対移動させ、
該弾性部品は該浮動摩擦ホイールを該２個の固定摩擦ホイールに向けて押すことを特徴とするシュレッダーの電源自動切断装置としている。
請求項６の考案は、請求項５記載のシュレッダーの電源自動切断装置において、前記第二固定摩擦ホイールの軸心には第一伝動ギアを設置し、該第一伝動ギアは内ギアを備える第二伝動ギアと該カッターアセンブリシャフト位置に主動回転ギアにより伝動連結を構成され、
該槽台は該第二固定摩擦ホイールのホイール面の弧状に沿った弧状槽を設置し、該浮動摩擦ホイールの軸心は該槽台の弧状槽に穿入することを特徴とするシュレッダーの電源自動切断装置としている。
請求項７の考案は、請求項１記載のシュレッダーの電源自動切断装置において、前記起動スイッチはレバースイッチの形態で、該レバースイッチは棒状ギア、及び該回転盤と該変速ギアボックスの出力軸を連動する第三伝動ギアにより伝動を構成され、該回転盤の周辺には欠口を設置し、該引き金は該欠口に相対嵌入するフック部を設置することを特徴とするシュレッダーの電源自動切断装置としている。
請求項８の考案は、請求項７記載のシュレッダーの電源自動切断装置において、前記エネルギー貯蔵ユニットと該カッターアセンブリ間の伝動は、該エネルギー貯蔵ユニットに固設し、該エネルギー貯蔵ユニットと伝動を構成する第一固定摩擦ホイール、及び該カッターアセンブリに固設し、該カッターアセンブリと伝動を構成する第二固定摩擦ホイールにより構成され、
該第二固定摩擦ホイールの軸心には第一伝動ギアを設置し、該第一伝動ギアは第二伝動ギアと該カッターアセンブリシャフト位置の主動回転ギアにより伝動連結を構成されることを特徴とするシュレッダーの電源自動切断装置としている。
【考案の効果】
【０００７】
本考案はシュレッダーのカッターアセンブリが一定時間の運転停止後に、シュレッダーの電源を自動的に切断し、省エネと安全の機能を達成することができる。
【考案を実施するための最良の形態】
【０００８】
図１は本考案電源自動切断装置の構造分解図である、図２は本考案変速ギアボックスの外観構造図である。図３は本考案電源自動切断装置の構造平面図に示すように、本考案電源自動切断装置は電源切断スイッチ１１、エネルギー貯蔵ユニット１２、変速ギアボックス１３、引き金１４、起動スイッチ、組み立てベースAを含む。
該組み立てベースAには電源自動切断装置の関連構成部品全体を装置する。
該電源切断スイッチ１１によりシュレッダーの電源通電と切断を制御する。
該エネルギー貯蔵ユニット１２はシュレッダーのカッターアセンブリ２０により連動され運転し、エネルギーを貯蔵する。
該変速ギアボックス１３は該エネルギー貯蔵ユニット１２が放出するエネルギーを受け、運転を連動される。
該引き金１４は該変速ギアボックス１３に連動され、該電源切断スイッチ１１に接触し動かす。
該起動スイッチは図に示すダイヤル１５構造などで、該引き金１４を復位させる。
【０００９】
実施時には、該エネルギー貯蔵ユニット１２は該変速ギアボックス１３と連動するウォームばねにより構成され、これにより該カッターアセンブリ２０が運転する時、該エネルギー貯蔵ユニット１２(ウォームばね)は該カッターアセンブリ２０の連動を受け、同期正回転を行いエネルギーを貯蔵する。
さらに、図４は本考案電源切断状態の動作概略図である、図５は本考案通電状態の動作概略図であるに示すように、本考案のダイヤル１５は回転盤１７と該変速ギアボックス１３の出力軸と連動し、該回転盤１７の周辺には欠口１７１を設置する。該引き金１４には該欠口１７１に相対し嵌入するフック部１４１を設置する。
該カッターアセンブリ２０が運転を停止すると、該エネルギー貯蔵ユニット１２(ウォームばね)は反対方向に作動し、しかも該変速ギアボックス１３の運転を連動する。該変速ギアボックス１３が一定の程度まで運転すると、該回転盤１７は該引き金１４のフック部１４１が該欠口１７１に嵌入する位置まで転動し、該電源切断スイッチ１１は電源を切断する。こうしてシュレッダーは電源を切断され、省エネと安全の機能を達成することができる。
【００１０】
該ダイヤル１５が転動し該回転盤１７の回転を連動すると、該引き金１４のフック部１４１は該回転盤１７の欠口１７１から退出し、該引き金１４は復位する。こうして電源は再びオンとなり、シュレッダーは正常な運転を回復し、該電源切断スイッチ１１は自動電源切断機能を回復する。
本考案のエネルギー貯蔵ユニット１２は単方向機構１６とカッターアセンブリ２０の構成を通して伝動される。
図１に示すように、該単方向機構１６は該エネルギー貯蔵ユニット１２に設置され、該エネルギー貯蔵ユニット１２と伝動を構成する第一固定摩擦ホイール１６１、該カッターアセンブリ２０に設置され該カッターアセンブリ２０と伝動を構成する第二固定摩擦ホイール１６５、該第一、第二固定摩擦ホイール１６１、１６５の間に設置される浮動摩擦ホイール１６２、該浮動摩擦ホイール１６２と該第一、第二固定摩擦ホイール１６１、１６５を相対移動させる槽台１６３、該浮動摩擦ホイール１６２を該第一、第二固定摩擦ホイール１６１、１６５に向けて押す弾性部品１６４を含む。
【００１１】
上記第二固定摩擦ホイール１６５の軸心には第一伝動ギア１６５１を設置し、該第一伝動ギア１６５１は第二伝動ギア２２と該カッターアセンブリ２０シャフト位置の主動回転ギア２１を通して伝動連結を構成する。
また図６、７に示すように、該槽台１６３には該第二固定摩擦ホイール１６５ホイール面の湾曲に沿った弧状槽１６３１を設置する。該浮動摩擦ホイール１６２の軸心１６２１は該槽台１６３の弧状槽１６３１に相対し、該カッターアセンブリ２０の正回転時には、該浮動摩擦ホイール１６２は該第一、第二固定摩擦ホイール１６１、１６５の伝動を確実に構成することができ、該エネルギー貯蔵ユニット１２は該カッターアセンブリ２０の連動を受け、エネルギー貯蔵効果を達成する。
反対に、該カッターアセンブリ２０が逆回転する時、該浮動摩擦ホイール１６２は二つの内どちらかも固定摩擦ホイール１６１から離脱し、該２個の固定摩擦ホイール１６１は伝動を構成することができなくなる。よって、該エネルギー貯蔵ユニット１２は該カッターアセンブリ２０の運転に従わず、こうしてエネルギー貯蔵ユニット１２のエネルギー異常放出を招くことはなく、該電源切断装置は自動切断の能力を確実に備える。
【００１２】
さらに、上記実施例のダイヤル１５により構成する起動スイッチは、図８に示すレバースイッチ１９２の形態で代用することができる。該レバースイッチ１９２はシュレッダーのスイッチアセンブリ１９と統合することができる。
図８、１１に示すように、該レバースイッチ１９２はシュレッダーのスライドスイッチ１９１と統合しスイッチアセンブリ１９とすることができる。
該エネルギー貯蔵ユニット１２と該カッターアセンブリ２０間の伝動は、該エネルギー貯蔵ユニット１２に固設し、該エネルギー貯蔵ユニット１２と伝動を構成する第一固定摩擦ホイール１６１と該カッターアセンブリ２０に固設し、該カッターアセンブリ２０と伝動を構成する第二固定摩擦ホイール１６５により構成する。
同時に図８、９、１０に示すように、上記第二固定摩擦ホイール１６５の軸心には第一伝動ギア１６５１を設置する。該第一伝動ギア１６５１は内ギア２２１を備える第二伝動ギア２２と該カッターアセンブリ２０シャフト位置の主動回転ギア２１を通して伝動連結を構成する。こうして該カッターアセンブリ２０が正回転する時、該第一、第二固定摩擦ホイール１６１、１６５の伝動を経て、該エネルギー貯蔵ユニット１２は該カッターアセンブリ２０の連動を受け、エネルギー貯蔵効果を達成する。
【００１３】
図８、１２、１３に示すように、上記のレバースイッチ１９２は棒状歯車１９１１及び該回転盤１７と該変速ギアボックス１３を連動する出力軸が連動する第三伝動ギア１８を通して伝動を構成される。該回転盤１７の周辺には欠口１７１を設置し、該引き金１４は該欠口１７１に相対し嵌入するフック部１４１を設置する。
該カッターアセンブリ２０が運転を停止すると、該エネルギー貯蔵ユニット１２(ウォームばね)は反対方向に作動し、しかも該変速ギアボックス１３の運転を連動する。該変速ギアボックス１３が一定の程度まで運転すると、該回転盤１７は該引き金１４のフック部１４１が該欠口１７１に嵌入する位置まで転動し、該電源切断スイッチ１１は電源を切断する。こうしてシュレッダーは電源を切断され、省エネと安全の機能を達成することができる。
さらに、該レバースイッチ１９２を押し該回転盤１７の回転を連動し、該引き金１４のフック部１４１を該回転盤１７の欠口１７１から退出させると、該引き金１４は復位し、電源はサイト通電しシュレッダーは正常な運転を回復し、電源切断装置は自動電源切断機能を回復する。
【図面の簡単な説明】
【００１４】
【図１】本考案電源自動切断装置の構造分解図である。
【図２】本考案変速ギアボックスの外観構造図である。
【図３】本考案電源自動切断装置の構造平面図である。
【図４】本考案電源切断状態の動作概略図である。
【図５】本考案通電状態の動作概略図である。
【図６】本考案単方向機構伝動状態の動作概略図である。
【図７】本考案単方向機構の伝動していない状態の動作概略図である。
【図８】本考案第二実施例の電源自動切断装置の構造分解図である。
【図９】本考案第二実施例の第一、第二固定摩擦ホイールの伝動方式正面構造概略図である。
【図１０】本考案第二実施例の第一、第二固定摩擦ホイールの伝動方式側面構造概略図である。
【図１１】本考案第二実施例の変速ギアボックス、エネルギー貯蔵ユニット、スイッチアセンブリの構造分解図である。
【図１２】本考案第二実施例のである。
【図１３】本考案第二実施例の引き金の動作概略図である。
【符号の説明】
【００１５】
A  組み立てベース
１１  電源切断スイッチ
１２  エネルギー貯蔵ユニット
１３  変速ギアボックス
１４  引き金
１４１  フック部
１５  ダイヤル
１６  単方向機構
１６１  第一固定摩擦ホイール
１６２  浮動摩擦ホイール
１６２１  軸心
１６３  槽台
１６３１  弧状槽
１６４  弾性部品
１６５  第二固定摩擦ホイール
１６５１  第一伝動ギア
１７  回転盤
１７１  欠口
１８  第三伝動ギア
１９  スイッチアセンブリ
１９１  スライドスイッチ
１９１１  棒状歯車
１９２  レバースイッチ
２０  カッターアセンブリ
２１  主動回転ギア
２２  第二伝動ギア
２２１  内ギア
【図１】
0003142769.tif 000003
【図２】
0003142769.tif 000004
【図３】
0003142769.tif 000005
【図４】
0003142769.tif 000006
【図５】
0003142769.tif 000007
【図６】
0003142769.tif 000008
【図７】
0003142769.tif 000009
【図８】
0003142769.tif 000010
【図９】
0003142769.tif 000011
【図１０】
0003142769.tif 000012
【図１１】
0003142769.tif 000013
【図１２】
0003142769.tif 000014
【図１３】
0003142769.tif 000015